(57)【要約】【課題】  本発明の課題は、訪問医療の対象の患者の諸事情に配慮したシステムを提供することを目的とする。【解決手段】  上記課題は、訪問医療の対象者である患者に対応付けて、前記患者の自宅住所を示す第１の住所情報と、前記患者の入居先施設の住所を示す第２の住所情報とをいずれが訪問先であるかを特定可能に登録し、電子カルテシステムに登録された前記患者の住所についての更新があった場合に、前記第１の住所情報を前記更新に応じて更新し、前記第２の住所情報を前記更新に応じて更新せず、前記第２の住所情報が訪問先である場合に、前記更新に応じて更新がなされなかった前記第２の住所情報を訪問先情報として表示する、処理をコンピュータが行う患者情報更新方法により達成される。【選択図】  図８
2015219828.tif 000002
【特許請求の範囲】
【請求項１】
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第２の住所情報が訪問先である場合に、前記更新に応じて更新がなされなかった前記第２の住所情報を訪問先情報として表示する、
処理をコンピュータが行うことを特徴とする患者情報更新方法。
【請求項２】
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第１の住所情報が訪問先である場合に、前記更新に応じて更新がなされた前記第１の住所情報を訪問先情報として表示する、
処理をコンピュータが行うことを特徴とする患者情報更新方法。
【請求項３】
前記電子カルテシステムに登録された前記患者の住所は、保険証に記載された前記患者の住所に合致する、ことを特徴とする請求項１又は２に記載の患者情報更新方法。
【請求項４】
前記電子カルテシステムから前記第１の住所情報を受信して、前記患者を該第１の住所情報で登録し、
前記電子カルテシステムから前記患者の第３の住所情報を受信すると、該第３の住所情報で前記第１の住所情報を更新する
処理を前記コンピュータが行うことを特徴とする請求項１乃至３の何れか一項記載の患者情報更新方法。
【請求項５】
端末から前記患者に係る設定情報を受信することで、前記第２の住所情報を取得する
処理を前記コンピュータが行うことを特徴とする請求項１乃至４のいずれか一項記載の患者情報更新方法。
【請求項６】
前記設定情報は、前記第１の住所情報又は前記第２の住所情報のいずれかを示す選択情報を含み、
前記選択情報で指定される住所情報を、前記訪問先として選択する
処理を前記コンピュータが行うことを特徴とする請求項５記載の患者情報更新方法。
【請求項７】
ネットワークを介して接続される電子カルテシステムから、該電子カルテシステムに登録された訪問医療の対象者である患者の自宅住所を示す第１の住所情報を受信し、該患者を第１の住所情報で登録する登録処理部と、
前記電子カルテシステムから、該電子カルテシステムで前記患者の前記第１の住所情報第２の住所情報を受信し、該第２の住所情報で該第１の住所情報を更新する更新処理部と
を有する訪問ケアシステム。
【請求項８】
訪問医療の対象者である患者に対応付けて、前記患者の自宅住所を示す第１の住所情報と、前記患者の入居先施設の住所を示す第２の住所情報とをいずれが訪問先であるかを特定可能に記憶部に登録するとともに、ネットワークを介して接続される電子カルテシステムに登録された前記患者の住所についての更新があった場合に、前記記憶部に登録されている前記第１の住所情報を前記更新に応じて更新し、前記第２の住所情報を前記更新に応じて更新しない患者情報管理部と、
前記第２の住所情報が訪問先である場合に、前記更新に応じて更新がなされなかった前記第２の住所情報を訪問先情報として表示する訪問スケジュール部と
を有することを特徴とする訪問ケアシステム。
【発明の詳細な説明】
【技術分野】
【０００１】
本発明は、患者の住所情報の管理技術に関する。
【背景技術】
【０００２】
近年、医療関係者が患者の居宅等に訪問して医療を提供する訪問ケアを支援する技術が開発されている。
【０００３】
複数の患者を扱う訪問医療において、訪問医がどのような順で各患者を訪問するかのルート決めがなされるため、各患者の訪問先の情報がシステムに登録される。そして、訪問医による訪問ルートを決定する際には、システムに登録された各患者の訪問先住所などを参照して、効率的な訪問ルートの設定、登録等を行う技術が提案されている。
【先行技術文献】
【特許文献】
【０００４】
【特許文献１】特開２００４−３０２８９０号公報
【特許文献２】特表２００８−５２７５１９号公報
【発明の概要】
【発明が解決しようとする課題】
【０００５】
しかし、患者の訪問先は、患者の都合に応じて患者の自宅であったり、介護施設であったり、さまざまなケースが存在する。従って、訪問先である介護施設は変わらないものの患者の自宅が変更される場合、施設間移動により訪問先が変更される場合など、システムに登録された訪問先のデータを更新すべきか、更新不要かの判断が煩わしい。
【０００６】
そこで、１つの側面では、本発明は、訪問医療の対象の患者の諸事情に配慮したシステムを提供することを目的とする。
【課題を解決するための手段】
【０００７】
一態様によれば、上記課題は、訪問医療の対象者である患者に対応付けて、前記患者の自宅住所を示す第１の住所情報と、前記患者の入居先施設の住所を示す第２の住所情報とをいずれが訪問先であるかを特定可能に登録し、電子カルテシステムに登録された前記患者の住所についての更新があった場合に、前記第１の住所情報を前記更新に応じて更新し、前記第２の住所情報を前記更新に応じて更新せず、前記第２の住所情報が訪問先である場合に、前記更新に応じて更新がなされなかった前記第２の住所情報を訪問先情報として表示する、処理をコンピュータが行う患者情報更新方法が提供される。
【０００８】
また、上記課題を解決するための手段として、上記方法を行う装置、コンピュータに上記処理を実行させるためのプログラム、及び、そのプログラムを記憶した記憶媒体とすることもできる。
【発明の効果】
【０００９】
訪問医療の対象の患者の諸事情に配慮したシステムを提供できる。
【図面の簡単な説明】
【００１０】
【図１】第１実施例における連携システムの構成例を示す図である。
【図２】第１実施例における訪問先情報ＤＢのデータ構成例を示す図である。
【図３】訪問ケアシステムのハードウェア構成を示す図である。
【図４】第１実施例における登録処理及び更新処理を説明するためのフローチャート図である。
【図５】第１実施例におけるフローチャート図である。
【図６】第１実施例における患者情報の登録後の患者情報画面例を示す図である。
【図７】第１実施例における患者情報の更新後の患者情報画面例を示す図である。
【図８】第２実施例における連携システムの構成例を示す図である。
【図９】第２実施例における訪問先情報ＤＢのデータ構成例を示す図である。
【図１０】第２実施例における患者情報管理部による編集処理を説明するためのフローチャート図である。
【図１１】第２実施例におけるフローチャート図である。
【図１２】入所先住所が設定される前の編集画面例を示す図である。
【図１３】入所先住所の設定後の編集画面例（その１）を示す図である。
【図１４】入所先住所の設定後の編集画面例（その２）を示す図である。
【図１５】住所情報更新後の編集画面例（その１）を示す図である。
【図１６】住所情報更新後の編集画面例（その２）を示す図である。
【発明を実施するための形態】
【００１１】
以下、本発明の実施の形態を図面に基づいて説明する。
［第１実施例］
第１実施例における、電子カルテシステム４と訪問ケアシステム１００とが連携した連携システム１００１について、図１で説明する。なお、以下の説明において、在宅医療における訪問診療、訪問看護、訪問介護など、患者の所在地へ赴いて患者をケアすることをまとめて、訪問ケアを表現する場合がある。
【００１２】
図１は、第１実施例における連携システムの構成例を示す図である。図１において、連携システム１００１は、端末１と、電子カルテシステム４と、訪問ケアシステム１００とを有する。端末１と、電子カルテシステム４と、訪問ケアシステム１００とは、ネットワーク２を介して接続される。
【００１３】
端末１は、電子カルテシステム４又は訪問ケアシステム１００のいずれか、又は、両方にアクセス許可された端末であり、医師、看護師、ケアマネージャ、受付等の医療関係者により使用されるコンピュータ端末である。
【００１４】
電子カルテシステム４は、医師、受付等のオペレータ等の端末１からアクセスされるサーバ装置である。電子カルテシステム４は、例えばクラウドコンピューティングによるＳａａＳ（Software as a Service）として、病院又はクリニックにその機能が提供される。電子カルテシステム４は、複数台のコンピュータによりその機能が実現されていても構わない。
【００１５】
電子カルテシステム４では、医師が行った患者への診察を記録し管理する機能が提供され、患者情報ＤＢ（データベース）５によって、患者の住所情報、通院してきた患者の診察記録、訪問による患者の診察記録等が管理される。
【００１６】
患者情報ＤＢ５には、患者の公的医療保険に登録されている住所として、患者の住所情報３ａが記録されている。例えば、患者の保険証に記載された住所が患者の住所情報３ａとして利用できる。健康保険、国民健康保険、後期高齢者医療制度は、公的医療保険の一例である。この住所情報３aは例えば、診察料を請求するレセプトの送付先の情報として電子カルテシステム４で利用される。住所情報３aは支払に関する情報であるため、常に正しい情報が管理されている必要がある。そのため、患者の住所に変更があれば、オペレータが、患者情報ＤＢ５に記録されている住所情報３ａを変更する。
【００１７】
新規の患者に対して、オペレータによって、登録時の患者の住所情報３ａを含む患者情報３０が電子カルテシステム４に入力されると、患者情報３０に診察券番号が付与され、患者情報ＤＢ５に登録される。
【００１８】
過去に診察を受けた患者の住所情報が変更になり、オペレータが、新たな住所情報３ｂを含む患者情報３０を電子カルテシステム４に入力すると、患者情報ＤＢ５が更新される。住所情報３ａが新たな住所情報３ｂに変更される。つまり、新たな住所情報３ｂは、患者の引っ越し等による公的医療保険に登録されている住所の変更、誤記の修正等による、住所情報３ａからの変更を含む。
【００１９】
患者情報３０は、患者識別情報３ｉｄと、住所情報３ａ又は３ｂを含む。患者識別情報３ｉｄは、患者のフルネームを示す患者名及び／又は電子カルテシステム４で付与した診察券番号を示す。住所情報３ａ又は３ｂは、患者の郵便番号、住所、電話番号等を示す。患者情報３０に、更に、生年月日、年齢、性別等が含まれることが望ましい。
【００２０】
このような患者情報３０の登録、及び患者情報３０が更新されると、患者情報３０のうち、患者名による患者識別情報３ｉｄと、住所情報３ａとを含む電子データとして、例えばファイル６ｆが、電子カルテシステム４からネットワーク２を介して訪問ケアシステム１００に転送される。電子カルテシステム４から転送されたファイル６ｆは、訪問ケアシステム１００のファイル記憶領域３１に格納される。
【００２１】
訪問ケアシステム１００は、患者の入所先へ訪問して医療行為、介護を行う医療機関に従事する医療関係者等の端末１からアクセスされるサーバ装置である。訪問ケアシステム１００は、端末１に対して、複数の患者を訪問するためのルート決め、各患者への訪問スケジュールの作成、居宅療養管理指導書等の作成等を支援する機能を提供する。訪問ケアシステム１００は、例えばクラウドコンピューティングによるＳａａＳとして、訪問ケアを行っている医療機関にこれらの機能を提供する。訪問ケアシステム１００は、複数台のコンピュータによりその機能が実現されていても構わない。
【００２２】
訪問ケアシステム１００は、患者情報管理部６１と、訪問スケジュール部６２と、指導書作成部６３と、ファイル記憶領域３１と、訪問先情報ＤＢ７２とを有する。ファイル記憶領域３１は、後述される記憶部１３０の一部に相当し、訪問先情報ＤＢ７２は、記憶部１３０に格納される。
【００２３】
患者情報管理部６１は、訪問先情報ＤＢ７２の管理を行う。患者情報管理部６１は、ファイル記憶領域３１にファイル６ｆが例えば新たに格納される毎に、訪問先情報ＤＢ７２へ患者情報７０の登録又は更新を行う。
【００２４】
登録時には、患者情報管理部６１は、ファイル６ｆ内の患者識別情報３ｉｄと、住所情報３ａとに基づいて、患者情報７０を訪問先情報ＤＢ７２に作成し登録する。患者情報７０は、訪問先情報ＤＢ７２における１レコードに相当し、少なくとも患者識別情報７ｉｄと、住所情報３ａとを含む。患者識別情報７ｉｄは、患者を特定する情報であり、患者ＩＤ等を示すと共に、ファイル６ｆの患者識別情報３ｉｄと一意に対応付けられる情報である。
【００２５】
更新時には、患者情報管理部６１は、ファイル６ｆ内の患者識別情報３ｉｄと、住所情報３ｂとに基づいて、患者情報７０の住所情報３ａを住所情報３ｂで書き換える。
【００２６】
訪問スケジュール部６２は、端末１からの要求に応じて、患者の訪問内容の設定、訪問スケジュールの作成等を行う。訪問ルートを決定する際には、訪問スケジュール部６２は、訪問先情報ＤＢ７２に格納されている患者情報７０を参照して、各患者の入所先に効率的に訪問する訪問ルートを決定する。
【００２７】
指導書作成部６３は、患者の居宅（自宅住所又は入所先）を訪問して行う計画的な医学的管理を行うための居宅療養管理指導書の作成を支援する。
【００２８】
図２は、第１実施例における訪問先情報ＤＢのデータ構成例を示す図である。図２において、訪問先情報ＤＢ７２は、患者毎に住所情報３ａを記憶し管理するデータベースであり、患者ＩＤ、患者名、生年月日、性別、住所、電話番号等の項目を有する。
【００２９】
患者ＩＤは、訪問ケアシステム１００が付与した、訪問する患者を特定する識別情報を示す。患者名は、患者のフルネームを示す。患者名に、ファイル６ｆの患者識別情報３ｉｄによって示される患者名が設定される。患者識別情報７ｉｄは、患者ＩＤ及び／又は患者名に相当する。
【００３０】
生年月日は、患者の生年月日を示す。生年月日に、ファイル６ｆで示される生年月日が設定される。性別は、患者の性別を示す。性別に、ファイル６ｆで示される生年月日が設定される。
【００３１】
住所は、電子カルテシステム４が転送したファイル６ｆで示される登録時の住所情報３ａ又は更新された住所情報３ｂを示す。電話番号は、患者の電話番号を示す。
【００３２】
訪問先情報ＤＢ７２において、電子カルテシステム４で付与した診察券番号等の項目を更に有し、患者ＩＤに対応付けて記憶するようにしても良い。
【００３３】
図２のデータ例では、患者ＩＤ「００３７」の患者名「山田  太郎」さんの患者情報７０に関して、生年月日は「昭和15(1940)年1月1日」であり、性別は「男性」であることが示されている。また、登録時の住所及び電話番号は、住所情報３ａから
「〒 222-9999
神奈川県横浜市○○○9-9-9」
及び
「044-9999-9999」
であることが示されている。これらの情報は、電子カルテシステム４からのファイル６ｆの受信時に、訪問先情報ＤＢ７２に登録される。
【００３４】
患者名「山田  太郎」さんの患者情報７０は、電子カルテシステム４における更新時においても、電子カルテシステム４からファイル６ｆが転送されることで、住所情報３ａから住所情報３ｂ
「〒 222-8888
神奈川県横浜市○○○8-8-8」
及び
「044-9999-8888」
に変更される。
【００３５】
このように、訪問ケアシステム１００を、電子カルテシステム４と連携させることによって、電子カルテシステム４に記録されている患者の住所情報を、訪問医療システム１００で管理されている患者の住所情報に反映させられる。これにより、同一の患者について同じ住所情報をそれぞれのシステムで入力するオペレータの手間を軽減させることができる。患者情報７０の登録及び更新を自動的に行えるため、訪問ケアシステム１００への人手による入力作業を削減でき、且つ、精度良く患者情報７０を管理することができる。
【００３６】
訪問ケアシステム１００は、例えば、図３に示すようなハードウェア構成を有する。図３は、訪問ケアシステムのハードウェア構成を示す図である。図３において、訪問ケアシステム１００は、コンピュータによって制御される端末であって、ＣＰＵ（Central Processing Unit）１１と、主記憶装置１２と、補助記憶装置１３と、入力装置１４と、表示装置１５と、通信Ｉ／Ｆ（インターフェース）１７と、ドライブ装置１８とを有し、バスＢに接続される。
【００３７】
ＣＰＵ１１は、主記憶装置１２に格納されたプログラムに従って訪問ケアシステム１００を制御する。即ち、図１に示す患者情報管理部６１と、訪問スケジュール部６２と、指導書作成部６３とは、ＣＰＵ１１が対応するプログラムを実行することによって実現される。
【００３８】
主記憶装置１２には、ＲＡＭ（Random Access Memory）、ＲＯＭ（Read Only Memory）等が用いられ、ＣＰＵ１１にて実行されるプログラム、ＣＰＵ１１での処理に必要なデータ、ＣＰＵ１１での処理にて得られたデータ等を記憶又は一時保存する。
【００３９】
補助記憶装置１３には、ＨＤＤ（Hard Disk Drive）等が用いられ、各種処理を実行するためのプログラム等のデータを格納する。補助記憶装置１３に格納されているプログラムの一部が主記憶装置１２にロードされ、ＣＰＵ１１に実行されることによって、各種処理が実現される。記憶部１３０は、主記憶装置１２及び／又は補助記憶装置１３を有する。
【００４０】
入力装置１４は、マウス、キーボード等を有し、ユーザが訪問ケアシステム１００による処理に必要な各種情報を入力するために用いられる。表示装置１５は、ＣＰＵ１１の制御のもとに必要な各種情報を表示する。通信Ｉ／Ｆ１７は、有線又は無線などのネットワークを通じて通信を行う。通信Ｉ／Ｆ１７による通信は無線又は有線に限定されるものではない。 
訪問ケアシステム１００によって行われる処理を実現するプログラムは、例えば、ＣＤ−ＲＯＭ（Compact Disc Read-Only Memory）等の記憶媒体１９によって訪問ケアシステム１００に提供される。
【００４１】
ドライブ装置１８は、ドライブ装置１８にセットされた記憶媒体１９（例えば、ＣＤ−ＲＯＭ等）と訪問ケアシステム１００とのインターフェースを行う。
【００４２】
また、記憶媒体１９に、後述される本実施の形態に係る種々の処理を実現するプログラムを格納し、この記憶媒体１９に格納されたプログラムは、ドライブ装置１８を介して訪問ケアシステム１００にインストールされる。インストールされたプログラムは、訪問ケアシステム１００により実行可能となる。
【００４３】
尚、プログラムを格納する媒体としてＣＤ−ＲＯＭに限定するものではなく、コンピュータが読み取り可能な媒体であればよい。コンピュータ読取可能な記憶媒体として、ＣＤ−ＲＯＭの他に、ＤＶＤディスク、ＵＳＢメモリ等の可搬型記録媒体、フラッシュメモリ等の半導体メモリであっても良い
電子カルテシステム４は、図３に示すような同様のハードウェア構成を有するため、そのハードウェア構成の説明を省略する。電子カルテシステム４によって行われる種々の処理は、図３に示されるようなコンピュータ資源を用いて実現される。
【００４４】
次に、訪問ケアシステム１００の患者情報管理部６１による種々の処理について説明する。先ず、電子カルテシステム４からファイル６ｆを受信した場合の処理について説明する。ファイル６ｆを受信した場合には、患者情報管理部６１によって、訪問先情報ＤＢ７２への登録処理又は更新処理が実行される。
【００４５】
図４は、第１実施例における登録処理及び更新処理を説明するためのフローチャート図である。図４において、患者情報管理部６１は、電子カルテシステム４からファイル６ｆを受信したか否かを判断する（ステップＳ１１）。ファイル記憶領域３１にファイル６ｆが格納されているか否かをチェックすることによって、ファイル６ｆの受信の有無を判断できる。電子カルテシステム４からファイル６ｆを受信していない場合、即ち、ファイル記憶領域３１にファイル６ｆが存在しない場合、患者情報管理部６１は、所定間隔でステップＳ１１を実行する。
【００４６】
一方、ファイル記憶領域３１にファイル６ｆが存在する場合（ステップＳ１１−ＹＥＳ）、患者情報管理部６１は、ファイル６ｆは、訪問先情報ＤＢ７２に登録済みの患者に関する情報であるか否かを判断する（ステップＳ１２）。ファイル６ｆの患者識別情報３ｉｄで特定される患者が、訪問先情報ＤＢ７２に存在するか否かを判断する。
【００４７】
患者が登録されていない場合（ステップＳ１２−ＮＯ）、患者情報管理部６１は、訪問先情報ＤＢ７２への登録処理を行う（ステップＳ１３）。登録処理では、患者識別情報３ｉｄに含まれる患者名及び診察券番号に対応する患者識別情報７ｉｄが作成される。患者識別情報７ｉｄと、ファイル６ｆ内の住所情報３ａとを含む患者情報７０が訪問先情報ＤＢ７２に登録される。ファイル６ｆに生年月日、年齢、性別等が存在する場合には、患者情報管理部６１は、患者情報７０に含めて訪問先情報ＤＢ７２に登録する。
【００４８】
一方、ステップＳ１２において、患者が登録されている場合（ステップＳ１２−ＹＥＳ）、患者情報管理部６１は、訪問先情報ＤＢ７２に、ファイル６ｆの患者識別情報３ｉｄに対応する患者識別情報７ｉｄの患者情報７０の住所情報３ａを、ファイル６ｆの住所情報３ｂで上書きして更新処理を行う（ステップＳ１４）。
【００４９】
患者情報管理部６１は、ステップＳ１３での登録処理又はステップＳ１４での更新処理の後、処理済みのファイル６ｆをファイル記憶領域３１から削除して、ステップＳ１１へ戻り、上述した同様の処理を繰り返す。
【００５０】
上述したように、電子カルテシステム４から転送されたファイル６ｆの受信に応じて、訪問先情報ＤＢ７２に患者情報７０を登録及び更新するため、訪問ケアシステム１００において、人手による患者情報７０の管理の手間を削減することができる。また、このような電子カルテシステム４との連携により、自動的に患者情報７０を登録及び更新されるため、効率よくタイムリーに患者情報７０を管理することができる。
【００５１】
訪問先情報ＤＢ７２は、訪問スケジュール部６２及び指導書作成部６３によって参照される。図５（Ａ）は、第１実施例における訪問スケジュール部による処理の概要を説明するためのフローチャート図を示し、図５（Ｂ）は、第１実施例における指導書作成部による処理の概要を説明するためのフローチャート図である。
【００５２】
図５（Ａ）において、訪問スケジュール部６２は、ネットワーク２を介して接続される端末１から１以上の患者識別情報７ｉｄを受信すると（ステップＳ３１）、受信した患者識別情報７ｉｄで訪問先情報ＤＢ７２を検索する（ステップＳ３２）。訪問先情報ＤＢ７２から、受信した患者識別情報７ｉｄの患者情報７０が抽出される。
【００５３】
訪問スケジュール部６２は、訪問先情報ＤＢ７２から検索した患者情報７０を端末１に表示する（ステップＳ３３）。そして、訪問スケジュール部６２は、端末１から要求された処理を住所情報３ａ（又は３ｂ）を用いて実行する（ステップＳ３４）。訪問スケジュール部６２による処理が終了する。
【００５４】
ステップＳ３３における端末１から要求された処理では、例えば、ステップＳ３２で検索された患者情報７０の住所情報３ａ（又は３ｂ）に基づいて、ステップＳ３１で受信した患者識別情報７ｉｄで特定される患者の訪問スケジュールの作成支援が行われる。
【００５５】
また、ステップＳ３１にて、端末１から複数の患者識別情報７ｉｄ、又は、日付情報を受信した場合には、ステップＳ３２で複数の患者情報７０が検索される。検索された複数の患者情報７０の各住所情報３ａ（又は３ｂ）に基づいて、訪問ルートを決定する処理が行われる。
【００５６】
訪問スケジュール部６２は、患者の最新の住所情報３ａ（又は３ｂ）を利用して、種々の処理を行うことができるため、端末１の医療関係者は、人手による患者情報７０の住所情報３ａ（又は３ｂ）の管理を行うことなく、適切な処理結果を得ることができる。
【００５７】
図５（Ｂ）において、指導書作成部６３は、ネットワーク２を介して接続される端末１から１以上の患者識別情報７ｉｄを受信すると（ステップＳ５１）、受信した患者識別情報７ｉｄで訪問先情報ＤＢ７２を検索する（ステップＳ５２）。受信した患者識別情報７ｉｄの患者情報７０が抽出される。
【００５８】
指導書作成部６３は、訪問先情報ＤＢ７２から検索した患者情報７０を端末１に表示する（ステップＳ５３）。そして、指導書作成部６３は、端末１から要求された処理を住所情報３ａ（又は３ｂ）を用いて実行する（ステップＳ５４）。指導書作成部６３による処理が終了する。
【００５９】
ステップＳ５３における端末１から要求された処理では、例えば、ステップＳ５２で検索された患者情報７０に基づいて、ステップＳ５１で受信した患者識別情報７ｉｄで特定される患者を診療又は介護するための居宅療養管理指導書等の作成支援が行われる。
【００６０】
図５（Ａ）のステップＳ３３及び図５（Ｂ）のステップＳ５３にて端末１に表示される患者情報画面例を図６で説明する。
【００６１】
図６は、第１実施例における患者情報の登録後の患者情報画面例を示す図である。図６において、患者情報画面Ｇ８１は、端末１から指定された患者の患者情報７０を表示する画面であり、患者ＩＤ、患者名、生年月日、性別、住所等の項目を有する。
【００６２】
患者ＩＤは、訪問ケアシステム１００において、患者を特定するＩＤを示す。患者名は、患者のフルネームを示す。患者ＩＤ及び患者名によって、患者情報７０の患者識別情報７ｉｄが示される。生年月日は、患者の生年月日を示す。性別は、患者の性別を示す。住所は、患者の住所を示す。住所によって、患者情報７０の住所情報３ａ（又は３ｂ）が示される。患者情報７０において、患者名、生年月日、性別、及び住所の情報は、電子カルテシステム４から提供される情報である。
【００６３】
この患者情報画面Ｇ８１では、住所の項目に、患者ＩＤ「００３７」の患者名「山田  太郎」さんの登録時の住所情報３ａ
「〒 ２２２−９９９９
神奈川県横浜市○○○９−９−９
ＴＥＬ  ０４４−９９９９−９９９９」
を示している。
【００６４】
また、住所の項目は、地図ボタン８１ａを有する。端末１の医療関係者が地図ボタン８１ａをクリックすると、訪問スケジュール部６２又は指導書作成部６３によって、訪問ルート画面Ｇ８１−２の地図上に住所情報３ａに基づく住所位置が示される。医療関係者は、視覚的に、患者の住所位置及び周辺地理を確認することができる。
【００６５】
図７は、第１実施例における患者情報の更新後の患者情報画面例を示す図である。図７において、患者情報画面Ｇ８２は、図６の患者情報画面Ｇ８１と同様であるので、同様の符号を付し、その説明を省略する。
【００６６】
患者情報画面Ｇ８２では、電子カルテシステム４からのファイル６ｆの受信により、患者ＩＤ「００３７」の患者名「山田  太郎」さんの住所の内容が、図２で説明したように、登録時の住所情報３ａから住所情報３ｂ
「〒 ２２２−８８８８
神奈川県横浜市○○○８−８−８
ＴＥＬ  ０４４−９９９９−８８８８」
に変更されて表示されている。また、端末１の医療関係者が地図ボタン８１ａをクリックした場合には、訪問スケジュール部６２又は指導書作成部６３によって、訪問ルート画面Ｇ８１−２の地図上に住所情報３ｂに基づく住所位置が示される。
【００６７】
図６及び図７で説明したように、住所の内容は、常に、最新の情報が表示されるため、端末１の医療関係者は、精度の良い住所情報３ａ又は３ｂを得ることができる。
【００６８】
上述により、第１実施例では、電子カルテシステム４と訪問ケアシステム１００を連携させ、電子カルテシステム４に記録されている患者の住所情報３ａ又は３ｂを訪問ケアシステム１００の訪問先情報ＤＢ７２に反映させるため、電子カルテシステム４と訪問ケアシステム１００とで患者の住所情報３ａ又は３ｂを同期させることができる。即ち、訪問ケアシステム１００は、電子カルテシステム４と同じ住所情報３ａ又は３ｂを備えることができる。
【００６９】
また、同一の患者について、同じ住所情報３ａ又は３ｂを夫々のシステム４及び１００に入力する医療関係者による作業を軽減させることができる。
【００７０】
さて、訪問ケアでは、医療関係者が患者の所在地に訪問し、診療又は介護を行う。公的医療保険に登録されている住所は主には患者の自宅住所であるが、患者は、健康状態によっては介護施設等に入所し、長期に渡り自宅とは異なる場所に居る場合がある。従って、患者識別情報７ｉｄと対応付けて記録されている住所は、必ずしも自宅住所であるとは限らない。
【００７１】
そのため、単純に、電子カルテシステム４と訪問ケアシステム１００との２つのシステムを連携させ、電子カルテシステム４に記録されている患者の住所情報を、訪問ケアシステム１００内で管理されている住所情報に反映させてしまうと、訪問先として記録されていた患者が滞在中の施設の住所が、患者の自宅住所で更新されてしまい、訪問先の住所を正しく示せなくなることに、発明者等は着目した。以下の第２実施例が提示される。
［第２実施例］
第２実施例における、電子カルテシステム４と訪問ケアシステム１００とが連携した連携システム１００２について、図８で説明する。
【００７２】
図８は、第２実施例における連携システムの構成例を示す図である。図８において、連携システム１００２は、端末１と、電子カルテシステム４と、訪問ケアシステム１００とを有する。端末１と、電子カルテシステム４と、訪問ケアシステム１００とは、ネットワーク２を介して接続される。端末１及び電子カルテシステム４は、第１実施例と同様であるので、その説明を省略する。
【００７３】
第１実施例と同様に、患者情報３０の登録、及び患者情報３０の更新毎に、患者情報３０のうち、患者名による患者識別情報３ｉｄと、住所情報３ａとを含むファイル６ｆが、電子カルテシステム４からネットワーク２を介して訪問ケアシステム１００に転送される。電子カルテシステム４から転送されたファイル６ｆは、訪問ケアシステム１００のファイル記憶領域３１に格納される。
【００７４】
訪問ケアシステム１００は、第１実施例と同様に、患者の入所先へ訪問して医療行為、介護を行う医療機関に従事する医療関係者等の端末１からアクセスされるサーバ装置である。
【００７５】
訪問ケアシステム１００は、患者情報管理部６１−２と、訪問スケジュール部６２と、指導書作成部６３と、ファイル記憶領域３１と、訪問先情報ＤＢ７２とを有する。第１実施例との違いは、患者情報管理部６１−２と、訪問先情報ＤＢ７２の患者情報７４である。
【００７６】
患者情報管理部６１−２は、第１実施例と同様に、訪問先情報ＤＢ７２の管理を行う。患者情報管理部６１−２は、ファイル記憶領域３１にファイル６ｆが新たに格納される毎に、訪問先情報ＤＢ７２へ患者情報７４の登録又は更新を行う。
【００７７】
登録時には、患者情報管理部６１−２は、ファイル６ｆ内の患者識別情報３ｉｄと、住所情報３ａとに基づいて、患者情報７４を訪問先情報ＤＢ７２に作成し登録する。患者情報７４は、訪問先情報ＤＢ７２における１レコードに相当し、少なくとも患者識別情報７ｉｄと、住所情報３ａとを含む。患者識別情報７ｉｄは、患者を特定する情報であり、患者ＩＤ等を示すと共に、ファイル６ｆの患者識別情報３ｉｄと一意に対応付けられる情報である。
【００７８】
更新時には、患者情報管理部６１−２は、ファイル６ｆ内の患者識別情報３ｉｄと、住所情報３ｂとに基づいて、患者情報７４の住所情報３ａを住所情報３ｂで書き換える。
【００７９】
第２実施例において、患者情報管理部６１−２は、更に、端末１から受信した設定情報８を、既に登録済みの患者情報７４に対して反映させる。設定情報８は、電子カルテシステム４から提供される公的医療保険に登録されている住所情報３ａとは異なる別の住所を登録し、住所情報３ａ又は別の住所を示す入所先情報７ｃのいずれを訪問先として選択するかを指定するための情報である。
【００８０】
設定情報８には、端末１の医療関係者によって指定された、患者識別情報７ｉｄ、入所先情報７ｃ、訪問先選択情報７ｅ等が含まれる。患者識別情報７ｉｄは、既に訪問先情報ＤＢ７２に登録された患者情報７４を特定するために使用される。入所先情報７ｃは、患者が入所した介護施設等の所在地を示す。訪問先選択情報７ｅは、電子カルテシステム４から得た住所情報３ａ（又は３ｂ）又は入所先情報７ｃのいずれを訪問するかの医療関係者の選択を示す。従って、第２実施例では、患者情報７４は、患者識別情報７ｉｄ、住所情報３ａ、入所先情報７ｃ、訪問先選択情報７ｅ等を含む。
【００８１】
図９は、第２実施例における訪問先情報ＤＢのデータ構成例を示す図である。図９において、訪問先情報ＤＢ７２は、患者毎に住所情報３ａを記憶し管理するデータベースであり、患者ＩＤ、患者名、生年月日、性別、住所、住所電話番号、入所先住所、入所先電話番号、訪問先住所等の項目を有する。
【００８２】
患者ＩＤは、訪問ケアシステム１００が付与した、訪問する患者を特定する識別情報を示す。患者名は、患者のフルネームを示す。患者名に、ファイル６ｆの患者識別情報３ｉｄによって示される患者名が設定される。患者識別情報７ｉｄは、患者ＩＤ及び／又は患者名に相当する。
【００８３】
生年月日は、患者の生年月日を示す。生年月日に、ファイル６ｆで示される生年月日が設定される。性別は、患者の性別を示す。性別に、ファイル６ｆで示される生年月日が設定される。
【００８４】
住所は、電子カルテシステム４が転送したファイル６ｆで示される登録時の住所情報３ａ又は更新された住所情報３ｂを示す。住所電話番号は、患者の住所の電話番号を示す。
【００８５】
入所先住所は、訪問ケアシステム１００で管理される患者の入所先住所を示す。入所先住所に、設定情報８の入所先情報７ｃが設定される。入所先電話番号は、患者の入所先住所の電話を示す。入所先電話番号に、設定情報８の訪問先選択情報７ｅが設定される。
【００８６】
訪問先住所は、電子カルテシステム４から得た住所、又は、訪問ケアシステム１００で管理される入所先住所の何れかを示す。訪問先住所に、設定情報８の訪問先選択情報７ｅが設定される。
【００８７】
第１実施例と同様に、訪問先情報ＤＢ７２において、電子カルテシステム４で付与した診察券番号等の項目を更に有し、患者ＩＤに対応付けて記憶するようにしても良い。
【００８８】
訪問ケアシステム１００は、第１実施例と同様のハードウェア構成（図３）を有するため、その説明を省略する。
【００８９】
第２実施例における登録処理及び更新処理は、第１実施例における登録処理及び更新処理（図４）と同様であるため、その説明を省略する。
【００９０】
患者情報７４の登録後に行われる、患者情報管理部６１−２による編集処理について図１０で説明する。図１０は、第２実施例における患者情報管理部による編集処理を説明するためのフローチャート図である。
【００９１】
図１０において、患者情報管理部６１−２は、端末１から患者識別情報を受信すると（ステップＳ２０１）、受信した患者識別情報７ｉｄで訪問先情報ＤＢ７２を検索する（ステップＳ２０２）。訪問先情報ＤＢ７２から、受信した患者識別情報７ｉｄの患者情報７０が抽出される。
【００９２】
患者情報管理部６１−２は、訪問先情報ＤＢ７２から検索した患者情報７４を示す編集画面を端末に表示する（ステップＳ２０３）。
【００９３】
その後、端末１から設定情報８を受信すると（ステップＳ２０４）、患者情報管理部６１−２は、受信した設定情報８で、訪問先情報ＤＢ７２の患者情報７４を更新する（ステップ２０５）。
【００９４】
設定情報８の患者識別情報７ｉｄと一致する患者情報７４に対して、設定情報８の入所先情報７ｃと訪問先選択情報７ｅとが書き込まれる。患者情報７４に既に入所先情報７ｃが設定されている場合、設定情報８で更新されることにより、入所先情報７ｃにより、入所先の変更、誤記の修正等が反映される。また、訪問先選択情報７ｅの変更が行われる。
【００９５】
訪問先情報ＤＢ７２は、訪問スケジュール部６２及び指導書作成部６３によって参照される。図１１（Ａ）は、第２実施例における訪問スケジュール部による処理の概要を説明するためのフローチャート図を示し、図１１（Ｂ）は、第２実施例における指導書作成部による処理の概要を説明するためのフローチャート図である。
【００９６】
図１１（Ａ）において、訪問スケジュール部６２は、ネットワーク２を介して接続される端末１から１以上の患者識別情報７ｉｄを受信すると（ステップＳ１３１）、受信した患者識別情報７ｉｄで訪問先情報ＤＢ７２を検索する（ステップＳ１３２）。訪問先情報ＤＢ７２から、受信した患者識別情報７ｉｄの患者情報７４が抽出される。
【００９７】
訪問スケジュール部６２は、訪問先情報ＤＢ７２から検索した患者情報７４を端末１に表示する（ステップＳ１３３）。
【００９８】
訪問スケジュール部６２は、患者情報７４の訪問先選択情報７ｅに基づいて、患者情報７４から住所情報３ａ（又は３ｂ）又は入所先情報７ｃを取得して、訪問先情報９に設定する（ステップＳ１３４）。
【００９９】
そして、訪問スケジュール部６２は、端末１から要求された処理を訪問先情報９を用いて実行する（ステップＳ１３５）。訪問スケジュール部６２による処理が終了する。
【０１００】
図１１（Ｂ）において、指導書作成部６３は、ネットワーク２を介して接続される端末１から１以上の患者識別情報７ｉｄを受信すると（ステップＳ１５１）、受信した患者識別情報７ｉｄで訪問先情報ＤＢ７２を検索する（ステップＳ１５２）。訪問先情報ＤＢ７２から、受信した患者識別情報７ｉｄの患者情報７４が抽出される。
【０１０１】
指導書作成部６３は、訪問先情報ＤＢ７２から検索した患者情報７４を端末１に表示する（ステップＳ１５３）。指導書作成部６３は、患者情報７４の訪問先選択情報７ｅに基づいて、患者情報７４から住所情報３ａ（又は３ｂ）又は入所先情報７ｃを取得して、訪問先情報９に設定する（ステップＳ１５４）。
【０１０２】
そして、指導書作成部６３は、端末１から要求された処理を訪問先情報９を用いて実行する（ステップＳ１５５）。指導書作成部６３による処理が終了する。
【０１０３】
次に、第２実施例における患者情報７４の編集画面例について図１２から図１４で説明する。図１２は、入所先住所の設定前の編集画面例を示す図である。図１２において、編集画面Ｇ９１は、端末１から指定された患者の患者情報７４を編集するための画面であり、患者ＩＤ、患者名、生年月日、性別、住所、入所先住所、訪問先住所等の項目を有する。
【０１０４】
患者ＩＤは、訪問ケアシステム１００において、患者を特定するＩＤを示す。患者名は、患者のフルネームを示す。患者ＩＤ及び患者名には、患者情報７０の患者識別情報７ｉｄが示される。生年月日は、患者の生年月日を示す。性別は、患者の性別を示す。
【０１０５】
住所は、電子カルテシステム４が提供した公的医療保険に登録されている患者の住所を示す。住所には、患者情報７０の住所情報３ａ（又は３ｂ）が示される。この例では、登録時の住所情報３ａである
「〒 ２２２−９９９９
神奈川県横浜市○○○９−９−９
ＴＥＬ  ０４４−９９９９−９９９９」
を示している。この住所の内容は、訪問ケアシステム１００からの編集は不可である。
【０１０６】
患者情報７４において、患者名、生年月日、性別、及び住所の情報は、電子カルテシステム４から提供された情報である。特に、住所の内容は、常に、最新の情報で上書きされるため、端末１の医療関係者は、精度の良い住所情報３ａ（又は３ｂ）を得ることができる。
【０１０７】
また、住所の項目は、地図ボタン９１ａを有する。端末１の医療関係者が地図ボタン９１ａをクリックすると、訪問スケジュール部６２又は指導書作成部６３により、訪問ルート画面Ｇ９１−２に住所の位置が表示される。医療関係者は、視覚的に、患者の住所位置及び周辺地理を確認することができる。
【０１０８】
更に、住所の項目に、住所情報３ａ（又は３ｂ）を入所先住所に複写するための複写ボタン９１ｂを備える。端末１の医療関係者は、複写ボタン９１ｂをクリックすると、下段の入所先住所の項目の入力欄９１ｃに、住所情報３ａ（又は３ｂ）を複写し、編集することができる。
【０１０９】
入所先住所は、患者が入所した介護施設等の住所を入力する入力欄９１ｃを有する。入力欄９１ｃには、郵便番号、住所、及び電話番号の入力が可能である。また、上述したように、住所の項目の複写ボタン９１ｂのクリックして入力欄９１ｃに住所情報３ａ（又は３ｂ）を複写し、その後、編集しても良い。入力欄９１ｃに設定された情報が、患者情報７４の入所先情報７ｃに相当する。
【０１１０】
入所先住所は、住所の項目と同様に地図ボタン９１ｄを有する。端末１の医療関係者が地図ボタン９１ｄをクリックすると、訪問スケジュール部６２又は指導書作成部６３により、訪問ルート画面Ｇ９１−２に入所先住所の位置が示される。医療関係者は、視覚的に、訪問する患者の位置及び周辺地理を確認することができる。
【０１１１】
訪問先住所は、医療関係者が実際に訪問する住所を示し、訪問先選択ボタン９１ｅと、訪問先住所表示欄９１ｆと、地図ボタン９１ｇとを有する。訪問先選択ボタン９１ｅは、住所ボタンと入所先ボタンとを有し、医療関係者が、訪問先として、住所又は入所先住所を選択するためのボタンである。訪問先住所表示欄９１ｆは、医療関係者が選択した訪問先に対応する、住所又は入所先住所を表示する表示欄である。地図ボタン９１ｇは、訪問ルート画面Ｇ９１−２を表示して訪問先の位置を示すためのボタンである。
【０１１２】
このように、第２実施例における編集画面Ｇ９１では、入所先住所の項目で、医療関係者は、住所情報３ａを複写して、その時点の情報を保持しておくことができる。また、住所情報３ａを複写後に、編集した入所先等の住所情報が、電子カルテシステム４から得た住所情報３ａとは別に保持されるため、電子カルテシステム４による住所情報３ａを更新によって、訪問ケアシステム１００で編集した入所先情報７ｃが、住所情報３ａの更新の際に上書きされることを防止できる。
【０１１３】
医療関係者は、入所先住所の設定後に、訪問先を入所先に変更する場合について図１３で説明する。図１３は、入所先住所の設定後の編集画面例を示す図である。編集画面Ｇ９２の項目は、図１２の編集画面Ｇ９１と同様であるので、その説明を省略する。
【０１１４】
図１３において、編集画面Ｇ９２は、図１２の編集画面Ｇ９１において、入所先住所が設定された状態を示している。
【０１１５】
入所先住所の入力欄９１ｃに、端末１から訪問ケアシステム１００に対して訪問先情報７ｃ
「〒 ２２１−７７７７
神奈川県川崎市○○○７−７−７
ＴＥＬ  ０４４−９９９９−７７７７」
が設定された状態を示している。この入力欄９１ｃは、訪問先情報７ｃが設定された後も、編集可能である。入力欄９１ｃに設定された訪問先情報７ｃは、設定情報８に含められて、訪問ケアシステム１００に送信されることにより、訪問先情報ＤＢ７２の患者名「山田  太郎」さんの患者情報７４（図９）に設定される。
【０１１６】
また、編集画面Ｇ９２では、医療関係者が訪問先住所の訪問先選択ボタン９１ｅを、「住所」から「入所先」に変更する様子を示している。変更前のこの時点では、訪問先住所表示欄９１ｆには、電子カルテシステム４から提供された住所に示される住所情報３ａが表示されている。
【０１１７】
医療関係者が、訪問先選択ボタン９１ｅで「入所先」に変更すると、図１４に示すように、訪問先住所表示欄９１ｆには、入所先住所の入力欄９１ｃに設定した訪問先情報７ｃ
「〒 ２２１−７７７７
神奈川県川崎市○○○７−７−７
ＴＥＬ  ０４４−９９９９−７７７７」
が表示される。この「入所先」への変更により、地図ボタン９１ｇを押下することにより表示される訪問ルート画面Ｇ９３−２には、入所先の住所位置が指示された地図が表示される。
【０１１８】
その後、電子カルテシステム４からファイル６ｆを受信することにより、患者名「山田  太郎」さんの住所が更新される場合がある。図１５は、住所情報更新後の編集画面例（その１）を示す図である。編集画面Ｇ９３の項目は、図１２の編集画面Ｇ９１と同様であるので、その説明を省略する。
【０１１９】
図１５において、編集画面Ｇ９３は、電子カルテシステム４により患者名「山田  太郎」さんの登録時の住所情報３ａが住所情報３ｂに更新された状態を示している。訪問先住所表示欄９１ｆには、住所情報３ｂ
「〒 ２２２−８８８８
神奈川県横浜市○○○８−８−８
ＴＥＬ  ０４４−９９９９−８８８８」
が表示される。
【０１２０】
入所先住所の入力欄９１ｃの内容（入所先住所情報７ｃ）が上書きされることがない。また、訪問先住所の訪問先選択ボタン９１ｅでは、図１４の編集画面Ｇ９２にて「入所先」を選択したままであるため、訪問先住所表示欄９１ｆには、入所先住所の入力欄９１ｃの内容（入所先住所情報７ｃ）が示される。
【０１２１】
このように、第２実施例では、訪問先として記録した患者が滞在中の施設の住所が、公的医療保険に登録されている患者の自宅住所等で更新されることがない。従って、訪問先の住所を正しく示すことができる。
【０１２２】
次に、訪問先住所の訪問先選択ボタン９１ｅで「住所」を選択した状態で、住所が登録時の住所情報３ａから住所情報３ｂに変更になった場合について図１６で説明する。図１６は、住所情報更新後の編集画面例（その２）を示す図である。編集画面Ｇ９４の項目は、図１２の編集画面Ｇ９１と同様であるので、その説明を省略する。
【０１２３】
図１６において、編集画面Ｇ９４は、電子カルテシステム４により患者名「山田  太郎」さんの登録時の住所情報３ａが住所情報３ｂに更新された状態を示している。訪問先住所表示欄９１ｆには、住所情報３ｂ
「〒 ２２２−８８８８
神奈川県横浜市○○○８−８−８
ＴＥＬ  ０４４−９９９９−８８８８」
が表示される。
【０１２４】
入所先住所の入力欄９１ｃの内容（入所先住所情報７ｃ）が上書きされることがない。また、訪問先住所の訪問先選択ボタン９１ｅでは、「住所」が選択されたままであるため、訪問先住所表示欄９１ｆには、住所に表示されている住所情報３ｂが示される。
【０１２５】
具体的には、以下の状況が考えられる。編集画面Ｇ９１（図１２）及び編集画面Ｇ９２（図１３）では、住所の内容は登録時の住所情報３ａであり、訪問先住所の訪問先選択ボタン９１ｅでは「住所」が選択されている。
【０１２６】
例えば、この状態で、編集画面Ｇ９１又は編集画面Ｇ９２を終了させ、次に編集画面Ｇ９４を端末１に表示するまでに、登録時の住所情報３ａが住所情報３ｂに更新された場合、編集画面Ｇ９４の表示時には、訪問先住所は、登録時の住所情報３ａではなく、更新された住所情報３ｂが表示される。
【０１２７】
このように、第２実施例では、更に、患者の自宅住所等の公的医療保険に登録されている住所についての更新があった場合でも、訪問先住所に自宅住所等の公的医療保険に登録された住所が指定されていれば、変更された住所を訪問先住所として表示する。
【０１２８】
第２実施例における訪問ケアシステム１００では、電子カルテシステム４と同期して患者の住所情報の更新を行えると共に、訪問先住所を適切に医療関係者に提示することができる。
【０１２９】
第２実施例では、患者の自宅住所等の公的医療保険に登録されている住所と、入所先住所との２つの住所を管理し、訪問先の選択を可能としたが、３以上の住所であっても良い。その場合であっても、訪問ケアシステム１００での患者の自宅住所等の公的医療保険に登録された住所の更新は不可とし、他住所の登録及び更新を可能とする。そして、医療関係者が訪問先として１の住所を選択すればよい。
【０１３０】
本発明は、具体的に開示された実施例に限定されるものではなく、特許請求の範囲から逸脱することなく、種々の変形や変更が可能である。
【０１３１】
以上の第１から第２実施例を含む実施形態に関し、更に以下の付記を開示する。
（付記１）
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第２の住所情報が訪問先である場合に、前記更新に応じて更新がなされなかった前記第２の住所情報を訪問先情報として表示する、
処理をコンピュータが行うことを特徴とする患者情報更新方法。
（付記２）
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第１の住所情報が訪問先である場合に、前記更新に応じて更新がなされた前記第１の住所情報を訪問先情報として表示する、
処理をコンピュータが行うことを特徴とする患者情報更新方法。
（付記３）
前記電子カルテシステムに登録された前記患者の住所は、保険証に記載された前記患者の住所に合致する、ことを特徴とする付記１又は２に記載の患者情報更新方法。
（付記４）
前記電子カルテシステムから前記第１の住所情報を受信して、前記患者を該第１の住所情報で登録し、
前記電子カルテシステムから前記患者の第３の住所情報を受信すると、該第３の住所情報で前記第１の住所情報を更新する
処理を前記コンピュータが行うことを特徴とする付記１乃至３の何れか一項記載の患者情報更新方法。
（付記５）
端末から前記患者に係る設定情報を受信することで、前記第２の住所情報を取得する
処理を前記コンピュータが行うことを特徴とする付記１乃至４のいずれか一項記載の患者情報更新方法。
（付記６）
前記設定情報は、前記第１の住所情報又は前記第２の住所情報のいずれかを示す選択情報を含み、
前記選択情報で指定される住所情報を、前記訪問先として選択する
処理を前記コンピュータが行うことを特徴とする付記５記載の患者情報更新方法。
（付記７）
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第２の住所情報が訪問先である場合に、前記更新に応じて更新がなされなかった前記第２の住所を訪問先情報として表示する、
処理をコンピュータに実行させることを特徴とする患者情報更新プログラム。
（付記８）
訪問医療の対象者である患者に対応付けて、前記患者の自宅住所を示す第１の住所情報と、前記患者の入居先施設の住所を示す第２の住所情報とをいずれが訪問先であるかを特定可能に登録し、
電子カルテシステムに登録された前記患者の住所についての更新があった場合に、前記第１の住所情報を前記更新に応じて更新し、前記第２の住所情報を前記更新に応じて更新せず、
前記第１の住所情報が訪問先である場合に、前記更新に応じて更新がなされた前記第１の住所を訪問先情報として表示する、
処理をコンピュータに実行させることを特徴とする患者情報更新プログラム。
（付記９）
ネットワークを介して接続される電子カルテシステムから、該電子カルテシステムに登録された訪問医療の対象者である患者の自宅住所を示す第１の住所情報を受信し、該患者を第１の住所情報で登録する登録処理部と、
前記電子カルテシステムから、該電子カルテシステムで前記患者の前記第１の住所情報第２の住所情報を受信し、該第２の住所情報で該第１の住所情報を更新する更新処理部と
を有する訪問ケアシステム。
（付記１０）
訪問医療の対象者である患者に対応付けて、前記患者の自宅住所を示す第１の住所情報と、前記患者の入居先施設の住所を示す第２の住所情報とをいずれが訪問先であるかを特定可能に記憶部に登録するとともに、ネットワークを介して接続される電子カルテシステムに登録された前記患者の住所についての更新があった場合に、前記記憶部に登録されている前記第１の住所情報を前記更新に応じて更新し、前記第２の住所情報を前記更新に応じて更新しない患者情報管理部と、
前記第２の住所情報が訪問先である場合に、前記更新に応じて更新がなされなかった前記第２の住所情報を訪問先情報として表示する訪問スケジュール部と
を有することを特徴とする訪問ケアシステム。
【符号の説明】
【０１３２】
１            端末
２            ネットワーク
３ａ          住所情報
３ｂ          住所情報
３ｉｄ        患者識別情報
４            電子カルテシステム
５            患者情報ＤＢ
６ｆ          ファイル
７ｉｄ        患者識別情報
７ｃ          入所先情報
７ｅ          訪問先選択情報
８            設定情報
１１          ＣＰＵ
１２          主記憶装置
１３          補助記憶装置
１４          入力装置
１５          表示装置
１６          出力装置
１７          通信Ｉ／Ｆ
１８          ドライブ
１９          記憶媒体
３０          患者情報
３１          ファイル記憶領域
６１、６１−２  患者情報管理部
６２          訪問スケジュール部
６３          指導書作成部
７２          訪問先情報ＤＢ
７０、７４    患者情報
１００        訪問ケアシステム
【図１】
2015219828.tif 000003
【図２】
2015219828.tif 000004
【図３】
2015219828.tif 000005
【図４】
2015219828.tif 000006
【図５】
2015219828.tif 000007
【図６】
2015219828.tif 000008
【図７】
2015219828.tif 000009
【図８】
2015219828.tif 000010
【図９】
2015219828.tif 000011
【図１０】
2015219828.tif 000012
【図１１】
2015219828.tif 000013
【図１２】
2015219828.tif 000014
【図１３】
2015219828.tif 000015
【図１４】
2015219828.tif 000016
【図１５】
2015219828.tif 000017
【図１６】
2015219828.tif 000018